(57)【要約】【課題】  棒状の金属線材はもちろん、右巻きのコイルスプリングも左巻きのスプリングも確実に切断することのできる線材切断装置を提供することにある。【解決手段】  本発明の線材切断装置は、載せ部と固定刃物と可動刃物とセット空間と駆動機構と機構収納部を備え、載せ部に載せた金属線材をセット空間にセットし、駆動機構により可動刃物を固定刃物側に押し出して、前記金属線材を固定刃物に押し付けて両刃物により切断することができる線材切断装置において、前記セット空間にセットされた金属線材を支持する支持具が可動刃物の両外側に設けられ、それら支持具は前記機構収納部側からセット空間側に突出して設けられ、いずれか一方の支持具は少なくとも右巻きコイルスプリングの巻き端部を支持でき、他方の支持具は少なくとも左巻きコイルスプリングの巻き端部を支持できるようにしたものである。【選択図】図１
2016016473.tif 000002
【特許請求の範囲】
【請求項１】
金属線材を載せる載せ部と、固定刃物と、可動刃物と、固定刃物と可動刃物の間に設けられたセット空間と、可動刃物を前進・後退移動させる駆動機構と、駆動機構が収納されている機構収納部を備え、載せ部に載せた金属線材をセット空間にセットし、駆動機構により可動刃物を固定刃物側に押し出して、前記金属線材を固定刃物に押し付けて両刃物により切断することができる線材切断装置において、
前記セット空間にセットされた金属線材を支持する支持具が可動刃物の両外側に設けられ、
前記支持具は前記機構収納部側からセット空間側に突出して設けられ、いずれか一方の支持具は少なくとも右巻きコイルスプリングの巻き端部を支持することができ、他方の支持具は少なくとも左巻きコイルスプリングの巻き端部を支持することができる、
ことを特徴とする線材切断装置。
【請求項２】
請求項１記載の線材切断装置において、
それぞれの支持具を固定刃物側に向けて付勢しておき、金属線材をセット空間の上方開口部からセット空間に押し込んでセットすると、当該金属線材が支持具と固定刃物の間に挟着支持される、
ことを特徴とする線材切断装置。
【発明の詳細な説明】
【技術分野】
【０００１】
本発明は、鉄筋、異形棒、螺子棒、金属線材等の各種線材、特に、コイルスプリングの巻き始端部や巻き終端部（以下「巻き端部」という。特許請求の範囲において同じ。）の切断に適する線材切断装置に関するものである。
【背景技術】
【０００２】
金属線材の切断に使用される切断装置として電動油圧式鉄筋切断装置がある。この装置は往復スライド可能なロッドの先端に取り付けられた可動刃物が固定刃物側に移動して固定刃物と摺動することによって、両刃物間の金属線材を切断するものであり、一例として特許文献１、２の線材切断装置が知られている。
【先行技術文献】
【特許文献】
【０００３】
【特許文献１】特開２００４−６６４２９号公報
【特許文献２】実開平６−６６９１４号公報
【発明の概要】
【発明が解決しようとする課題】
【０００４】
図３に示すように、従来の線材切断装置Ａは、固定刃物Ｂと可動刃物Ｃの間のセット空間Ｄに線材Ｇをセットし、その線材Ｇのうち、セット空間Ｄの外側（側方）に飛び出している突出部分を、線材切断装置Ａの支持具Ｅで支持して線材Ｇの位置ずれを防止し、この状態で可動刃物Ｃを固定刃物Ｂ側に移動させると線材Ｇが切断されるようにしてある。
【０００５】
前記線材切断装置Ａはコンクリートから外に突出する鉄筋の切断を主目的とする装置であるが、従来、コイルスプリングＳの巻き端部Ｔを切断する切断装置がなかったことから、前記線材切断装置Ａを用いてコイルスプリングＳの巻き端部Ｔを切断することがあった。線材切断装置Ａで巻き端部Ｔを切断する場合は、図４のように、線材切断装置Ａの載せ部ＦにコイルスプリングＳを載せ、そのコイルスプリングＳを可動刃物Ｃ側に傾倒させて巻き端部Ｔをセット空間Ｄにセットし、その巻き端部Ｔを支持具Ｅで支持して不用意に動かないようにし、この状態で可動刃物Ｃを固定刃物Ｂ側に移動させて巻き端部Ｔを切断している。
【０００６】
しかし、コイルスプリングＳには右巻きのものと左巻きのものがある。支持具Ｅは一本しかない。このため、コイルスプリングＳが図５（ａ）のような右巻きの場合は、その巻き端部Ｔを支持具Ｅで支持することができるが、図５（ｂ）のような左巻きの場合には、コイルスプリングＳを線材切断装置Ａの載せ部Ｆの上に載せると、巻き端部Ｔが支持具Ｅと反対側に突出する。このため巻き端部Ｔを線材切断装置Ａのセット空間Ｄにセットしにくく、支持具Ｅで支持することができず、切断時にコイルスプリングＳが位置ずれし易く、巻き端部Ｔの所望個所を確実に切断するのが困難であった。
【０００７】
本発明の解決課題は、棒状の金属線材はもちろん、右巻きのコイルスプリングの巻き端部も左巻きのスプリングの巻き端部も確実に切断することのできる線材切断装置を提供することにある。
【課題を解決するための手段】
【０００８】
［線材切断装置］
本発明の線材切断装置は、金属線材を載せる載せ部と、固定刃物と、可動刃物と、固定刃物と可動刃物の間に設けられたセット空間と、可動刃物を前進・後退移動させる駆動機構と、駆動機構が収納されている機構収納部を備え、載せ部に載せた金属線材をセット空間にセットし、駆動機構により可動刃物を固定刃物側に押し出して、前記金属線材を固定刃物に押し付けて両刃物により切断することができる線材切断装置において、前記セット空間にセットされた金属線材を支持する支持具が可動刃物の両外側に設けられ、それら支持具は前記機構収納部側からセット空間側に突出して設けられ、いずれか一方の支持具は少なくとも右巻きコイルスプリングの巻き端部を支持でき、他方の支持具は少なくとも左巻きコイルスプリングの巻き端部を支持できるようにしたものである。なお、巻き端部とは、コイルスプリングのうちコイル状に巻かれていない直線状の部分を意味するものであり、コイルスプリングの端面寄りの部分に限定されない。
【０００９】
前記線材切断装置は、それぞれの支持具を固定刃物側に向けて付勢しておき、金属線材をセット空間の上方開口部からセット空間に押し込んでセットすると、当該金属線材が支持具と固定刃物の間に挟着支持されるようにすることもできる。
【発明の効果】
【００１０】
本発明の線材切断装置は次の効果がある。
（１）可動刃物の両外側に支持具が設けられているため右巻きのコイルスプリングも左巻きのコイルスプリングも確実に切断することができ、コイルスプリング以外の金属線材も切断することができる。
（２）支持具を固定刃物側に付勢した場合、その付勢力によって金属線材をより確実に支持することができる。
【図面の簡単な説明】
【００１１】
【図１】本発明の線材切断装置の一例を示す斜視図。
【図２】図１に示す線材切断装置でコイルスプリングの巻き端部を切断する場合の一例を示すものであって、（ａ）は右巻きのコイルスプリングの巻き端部を切断する場合の平面図、（ｂ）は左巻きのコイルスプリングの巻き端部を切断する場合の平面図。
【図３】従来の線材切断装置の一例を示す斜視図。
【図４】図３に示す線材切断装置でコイルスプリングの巻き端部を切断する場合の側面図。
【図５】図３に示す線材切断装置でコイルスプリングの巻き端部を切断する場合の一例を示すものであって、（ａ）は右巻きのコイルスプリングの巻き端部を切断する場合の平面図、（ｂ）は左巻きのコイルスプリングの巻き端部を切断する場合の平面図。
【発明を実施するための形態】
【００１２】
（実施形態）
［線材切断装置］
本発明の線材切断装置１の一例を、図面を参照して説明する。本発明の線材切断装置１は、鉄筋や異形棒、螺子棒、パイプ材といった各種金属線材の切断に用いることができるが、ここでは、金属線材がコイルスプリング６（図２（ａ）（ｂ））の場合を一例として説明する。
【００１３】
一例として図１に示す線材切断装置１は、本体２の先端側に固定刃物３と可動刃物４を備えたものであり、固定刃物３と可動刃物４の間のセット空間５にコイルスプリング６（図２（ａ）（ｂ））の直線状の巻き端部６ａをセットし、可動刃物４を固定刃物３側に押し出して固定刃物３と摺接させることによってコイルスプリング６の巻き端部６ａを切断するものである。
【００１４】
本発明の線材切断装置１には、可動刃物４の両外側に支持具８が設けられ、切断対象であるコイルスプリング６の巻き端部６ａを支持できるようにしてある。両支持具８は本体２の機構収納部１０側からセット空間５側に突出して設けられている。支持具８はスプリング１１で固定刃物３側に向けて付勢してあり、コイルスプリング６の巻き端部６ａをセット空間５の上方側の開口部５ａからセット空間５に押し込むと、当該支持具８でコイルスプリング６の巻き端部６ａを押圧して支持できるようにしてある。コイルスプリング６を載せる載せ部９は、図２（ａ）（ｂ）のように、右側だけに設けることもできるが、右側に設けられた載せ部９と同じ構造の載せ部９を左側にも設けて、図２（ｂ）のように左巻きのコイルスプリング６の巻き端部６ａを切断する際にコイルスプリング６を載せられるようにしてもよい。
【００１５】
線材切断装置１としては、固定刃物３と可動刃物４を備えた各種切断装置を用いることができ、例えば、株式会社オグラの電動油圧式鉄筋切断機を用いることができる。この切断機の可動刃物４は本体２の機構収容部１０に内蔵されたピストン機構やその他の方式の駆動機構（図示しない）によって前進或いは後退（往復移動）するようにしてある。可動刃物４は、本体２に設けられたスイッチＳＷの操作によって前進或いは後退する。本体２からは電源コード７が引き出されて商用電源を取り込めるようにしてある。
【００１６】
前記線材切断装置１に設けられた固定刃物３と可動刃物４はそれらの軸線を図２（ａ）（ｂ）に示すように左右にずらして配置されて、可動刃物４を固定刃物３側に前進スライドさせると両刃物の近接する側面（以下、「近接側面３ａ、４ａ」という）が摺接し、この摺接により、前記セット空間５にセットされた巻き端部６ａが切断されるようにしてある。
【００１７】
（使用例）
本発明の線材切断装置１の使用例について、図面を参照して説明する。この使用例は、本発明の線材切断装置１を用いて、右巻きのコイルスプリング６の巻き端部６ａを切断する場合の例である。
（１）図２（ａ）のように、線材切断装置１の載せ部９にコイルスプリング６を載せ、そのコイルスプリング６を可動刃物４側に傾倒させて（図４参照）巻き端部６ａをセット空間５にセットする。このとき、セット空間５にセットされた巻き端部６ａは、図２（ａ）の右側の支持具８によって支持される。
（２）前記（１）の状態で、スイッチＳＷを操作して可動刃物４を固定刃物３側に移動させ、セット空間５にセットされた巻き端部６ａを切断する。
【００１８】
左巻きのコイルスプリング６を切断するときも前記（１）と同様の手順で巻き端部６ａをセット空間５にセットする（図２（ｂ））。このとき、セット空間５にセットされた巻き端部６ａは、図２（ｂ）の左側の支持具８によって支持される。この状態でスイッチＳＷを操作して可動刃物４を固定刃物３側に移動させることによって、セット空間５にセットされた巻き端部６ａを切断することができる。
【産業上の利用可能性】
【００１９】
本発明の線材切断装置１は、コイルスプリング６の巻き端部６ａのほか、鉄筋や異形棒、螺子棒、パイプ材といった各種金属線材の切断にも用いることができる。
【符号の説明】
【００２０】
１    線材切断装置
２    本体
３    固定刃物
３ａ  （固定刃物の）近接側面
４    可動刃物
４ａ  （可動刃物の）近接側面
５    セット空間
５ａ  （セット空間の）開口部
６    コイルスプリング
６ａ  巻き端部
７    電源コード
８    支持具
９    載せ部
１０  機構収容部
１１  スプリング
Ａ    線材切断装置
Ｂ    固定刃物
Ｃ    可動刃物
Ｄ    セット空間
Ｅ    支持具
Ｆ    載せ部
Ｇ    線材
Ｓ    コイルスプリング
Ｔ    巻き端部
ＳＷ  スイッチ
【図１】
2016016473.tif 000003
【図２】
2016016473.tif 000004
【図３】
2016016473.tif 000005
【図４】
2016016473.tif 000006
【図５】
2016016473.tif 000007